(57)【要約】【目的】長尺ボルト２に螺合された蝶ネジ５を容易に回転させる。【構成】蝶ネジ５を回転させる際には、本体１４の孔１２に長尺ボルト２を挿入するとともに、本体１４の一端に形成された係止部１６を蝶ネジ５の外面に係止させる。そして、本体１４の他端に形成された入力部１８にハンドル付レンチ等のような一般工具２８を接続して本体１４を回転させる。すると、本体１４とともに係止部１６が回転され、係止部１６から蝶ネジ５に回転力が伝達される。【選択図】            図３
2004174638.tif 000002
【特許請求の範囲】
【請求項１】
長尺ボルトに螺合された蝶ネジを回転させるための蝶ネジ回転冶具であって、
前記長尺ボルトが抜き挿し自在に挿入される孔を有する棒状の本体、
前記本体の一端に形成され、前記蝶ネジの外面に係止される係止部、
前記本体の他端に形成され、外部から回転力が付与される入力部を備える、蝶ネジ回転冶具。
【発明の詳細な説明】
【０００１】
【産業上の利用分野】
この発明は、長尺ボルトに螺合された蝶ネジを容易に回転させることのできる、蝶ネジ回転冶具に関する。
【０００２】
【従来の技術】
鉄骨構造物の建設現場では、柱と梁とがボルトで接合されており、この接合作業においては、「作業者の転落事故防止」や「作業効率向上」等の観点から、簡便な作業台が梁に吊下げられて用いられている（特許文献１参照）。そして、作業台を梁に吊下げるための吊下冶具としては、特許文献１に記載されたものの他に、図５に示すようなネジ式の吊下冶具１が周知である。
【０００３】
この吊下冶具１（図５）は、長尺ボルト２と、長尺ボルト２の一端に取り付けられた第１係止部材３と、長尺ボルト２の外面に軸方向へ摺動自在に取り付けられた第２係止部材４と、長尺ボルト２に螺合された蝶ネジ５とによって構成されている。なお、長尺ボルト２を用いているのは、サイズの異なる複数種類の梁６に対して適用できるようにするためである。
【０００４】
そして、吊下冶具１を用いて梁６に作業台７を吊下げる際には、まず、地面に置かれた梁（Ｈ型鋼）の上辺６ａに第１係止部材３および第２係止部材４が係止され、続いて、長尺ボルト２に対して蝶ネジ５が作業者の手でねじ込まれる。そして、第１係止部材３に設けられた孔３ａに取付部材８を介して作業台７が取り付けられる。その後、クレーン等によって梁６が所定位置まで持ち上げられ、その位置において蝶ネジ５がさらにねじ込まれる。
【０００５】
【特許文献１】
特開平５−３３２０２６号（図１）
【０００６】
【発明が解決しようとする課題】
ネジ式の吊下冶具１（図５）は、蝶ネジ５によって第２係止部材４の後退を抑止できるので、他の種類の吊下冶具よりも安全性の面で優れている。しかし、吊下冶具１の着脱の際には、蝶ネジ５を作業者の手で回転させていたので、その作業が極めて面倒であるという問題があった。
【０００７】
それゆえに、この発明の主たる目的は、長尺ボルトに螺合された蝶ネジを容易に回転させることのできる、蝶ネジ回転冶具を提供することである。
【０００８】
【課題を解決するための手段】
請求項１に記載した発明は、「長尺ボルト２に螺合された蝶ネジ５を回転させるための蝶ネジ回転冶具１０であって、長尺ボルト２が抜き挿し自在に挿入される孔１２を有する棒状の本体１４、本体１４の一端に形成され、蝶ネジ５の外面に係止される係止部１６、本体１４の他端に形成され、外部から回転力が付与される入力部１８を備える、蝶ネジ回転冶具１０」である。
【０００９】
この発明において、蝶ネジ５を回転させる際には、本体１４の孔１２に長尺ボルト２を挿入するとともに、本体１４の一端に形成された係止部１６を蝶ネジ５の外面に係止させる。そして、本体１４の他端に形成された入力部１８にハンドル付レンチ等のような一般工具２８を接続して本体１４を回転させる。すると、本体１４とともに係止部１６が回転され、係止部１６から蝶ネジ５に回転力が伝達される。
【００１０】
【発明の実施の形態】
図１および図２を参照して、この発明が適用された蝶ネジ回転冶具１０は、図５に示すような吊下冶具１を梁６に対して着脱する際に、長尺ボルト２に螺合された蝶ネジ５を回転させるためのものである。なお、この吊下冶具１については、「従来の技術」の欄において既に説明したので、ここでの説明は省略する。
【００１１】
蝶ネジ回転冶具１０（図１，図２）は、長尺ボルト２が抜き挿し自在に挿入される孔１２を有する棒状の本体１４を含み、本体１４の軸方向一方端部（一端）には、蝶ネジ５の外面に係止される係止部１６が形成され、本体１４の軸方向他方端部（他端）には、外部から回転力が付与される入力部１８が形成される。
【００１２】
本体１４は、金属または合成樹脂等からなる管状体であり、本体１４の内径は、長尺ボルト２の外径よりもやや大きく設定され、本体１４の長さは、長尺ボルト２の長さとほぼ同じかそれよりも長めに設定される。これは、蝶ネジ５が長尺ボルト２のどの位置にあったとしても、これを確実に回転させるためである。
【００１３】
係止部１６は、図１に示すように、本体１４の一端から拡径して形成された短管状の本体部２０を含み、本体部２０には、その側壁を先端から略Ｕ字状に切り欠くことによって４つの係止溝２２ａ，２２ｂ，２２ｃおよび２２ｄが形成される。各係止溝２２ａ〜２２ｄは、互いに対向する２つが一対となって蝶ネジ５に回転力を伝達するものであり、使用時には、係止溝２２ａおよび２２ｂの各内周部、または、係止溝２２ｃおよび２２ｄの各内周部が蝶ネジ５における羽根５ａの外面に係止される。
【００１４】
この実施例においては、係止溝２２ａおよび２２ｂが一対となり、また、係止溝２２ｃおよび２２ｄが一対となるが、係止溝２２ａおよび２２ｂが十分な深さを有して形成されるのに対し、係止溝２２ｃおよび２２ｄは浅めに形成される。したがって、係止溝２２ａおよび２２ｂを用いて蝶ネジ５を回転させる際には、係止部１６と蝶ネジ５との係止状態を速やかに解除することができる。
【００１５】
なお、係止溝の数は適宜変更されてもよく、係止溝の深さは全ての係止溝において均一にされてもよい。また、係止溝の形状は、略Ｕ字状に限定されるものではなく、たとえば略四角形や略三角形等であってもよい。
【００１６】
入力部１８は、本体１４の他端から拡径して形成された短管状の拡径部２４を含み、拡径部２４の内面には、円盤状の回転力伝達部材２６が固着され、回転力伝達部材２６の端面には、嵌合穴２６ａが形成される。嵌合穴２６ａの形状は、電動ドリル，インパクトレンチまたはハンドル付レンチ等のような一般工具２８（図３）に設けられた嵌合突部２８ａの形状に応じて定められ、たとえば、嵌合突部２８ａが略四角形であれば、嵌合穴２６ａも略四角形に形成される。
【００１７】
蝶ネジ回転冶具１０を用いて蝶ネジ５を回転させる際には、図３に示すように、本体１４の孔１２に長尺ボルト２を挿入するとともに、本体１４の一端に形成された係止部１６を蝶ネジ５（羽根５ａ）の外面に係止させる。そして、本体１４の他端に形成された入力部１８の嵌合穴２６ａに一般工具（この実施例ではハンドル付レンチ）２８の嵌合突部２８ａを嵌合し、本体１４を回転させる。すると、本体１４とともに係止部１６が回転され、係止部１６から蝶ネジ５に回転力が伝達される。
【００１８】
ここで、蝶ネジ５をねじ込む際には、浅めに形成された係止溝２２ｃおよび２２ｄを蝶ネジ５に係止させることが望ましく、蝶ネジ５を緩める際には、深めに形成された係止溝２２ａおよび２２ｂを蝶ネジ５に係止させることが望ましい。これは、蝶ネジ５をねじ込む際には、蝶ネジ５に対して過大な回転力が作用するのを防止する必要があるのに対し、蝶ネジ５を緩める際には、蝶ネジ５に対して過大な回転力が作用する心配はないため、蝶ネジ５に対して係止部１６を確実に係止させることだけを考慮すればよいからである。
【００１９】
この実施例によれば、長尺ボルト２に螺合された蝶ネジ５に対して一般工具２８の回転力を容易に伝達することができ、蝶ネジ５を連続的に回転させることができる。
【００２０】
なお、上述の実施例では、係止部１６に係止溝２２ａ〜２２ｄを形成し、これらの内周部を蝶ネジ５の外面に係止させるようにしているが、たとえば図４に示すように、係止部１６に複数の係止ピン３０を形成し、これらの側面を蝶ネジ５の外面に係止させるようにしてもよい。
【００２１】
また、上述の実施例では、回転力伝達部材２６に嵌合穴２６ａを形成し、この嵌合穴２６ａに一般工具２８の嵌合突部２８ａ（図３）を嵌合するようにしているが、たとえば図４に示すように、回転力伝達部材２６に嵌合突部２６ｂを形成し、この嵌合突部２６ｂに一般工具の嵌合穴（図示せず）を嵌合するようにしてもよい。
【００２２】
【発明の効果】
この発明において、本体の孔に長尺ボルトを挿入した状態で係止部を蝶ネジの外面に係止し、入力部に回転力を付与すると、本体が回転されるとともに係止部が回転され、係止部から蝶ネジに回転力が伝達される。したがって、長尺ボルトに螺合された蝶ネジを容易に回転させることができる。
【図面の簡単な説明】
【図１】この発明が適用された蝶ネジ回転冶具を示す斜視図である。
【図２】この発明が適用された蝶ネジ回転冶具を示す断面図である。
【図３】蝶ネジ回転冶具の使用状態を示す図である。
【図４】この発明が適用された他の蝶ネジ回転軸を示す斜視図である。
【図５】一般的な吊下冶具および作業台を示す図である。
【符号の説明】
１…  吊下冶具
２…  長尺ボルト
５…  蝶ネジ
６…  梁
７…  作業台
１０…  蝶ネジ回転冶具
１２…  孔
１４…  本体
１６…  係止部
１８…  入力部
２２ａ，２２ｂ，２２ｃ，２２ｄ…  係止溝
２６…  回転力伝達部材
２８…  一般工具
【図１】
2004174638.tif 000003
【図２】
2004174638.tif 000004
【図３】
2004174638.tif 000005
【図４】
2004174638.tif 000006
【図５】
2004174638.tif 000007